(57)【要約】【課題】  簡単かつ安価な構成としながら、耐久性に優れ、製品コストを増大させたり作業性を悪化させることなく、仕切り板をしっかりと収容支持してガタなどの発生を効果的に抑制することができる仕切り板用のフレーム部材を提供する。【解決手段】  縦フレーム２００、３００の対面するそれぞれの部位には、仕切り板１Ａ、１Ｂの端部を収容する凹形状の収容部２１０、３１０が形成されている。収容部２１０は、従来のものとは形状が異なっており、底部２１１の一端２１１Ａから外側に向けて広がるように傾斜して形成される外向傾斜側面２１２と、前記底部２１１の他端２１１Ｂから前記外向傾斜側面２１２と略平行に内側に向かって所定距離だけ延在する内向傾斜側面２１３及び当該内向傾斜側面２１３の終点（突出部）２１５から変曲して外側に向けて広がるように傾斜して形成される外向傾斜側面２１４と、を含んで構成されている。【選択図】図１
2008223420.tif 000002
【特許請求の範囲】
【請求項１】
仕切り板を収容する収容部が形成されたフレーム部材であって、
前記収容部が、
フレーム部材の仕切り板の正規の収容方向に対してフレーム部材を所定に傾斜させた状態で、収容される仕切り板の板厚に対して所定間隙をもって仕切り板を収容可能に構成されると共に、
フレーム部材を所定に傾斜させて仕切り板を収容した状態から、フレーム部材を仕切り板の正規の収容方向に回動したときに、当該回動方向下流側の仕切り板の端部或は側面と、前記回動方向上流側の仕切り板の側面と、に当接して、フレーム部材に対する仕切り板の板厚方向における移動を規制しつつ仕切り板を収容可能に構成されたことを特徴とする仕切り板用フレーム部材。
【請求項２】
前記収容部が、
仕切り板の正規の収容方向に対し、前記収容部の入口を外向きに広げる方向に所定に傾斜された領域を含む外向部と、
前記収容部の入口から所定深さで前記外向部に接続される底部と、
収容される仕切り板を挟んで前記外向部の反対側において前記底部と前記収容部の入口との間に形成され、前記外向部と協働して、正規の収容方向に対して所定に傾斜されて収容される仕切り板の板厚に対して所定間隙をもつように形成される突出部と、
を含んで構成され、
フレーム部材を所定に傾斜させて仕切り板を収容した状態から、フレーム部材を仕切り板の正規の収容方向に回動したときに、回動方向下流側の仕切り板の端部或は側面と、前記外向部の少なくとも一部若しくは前記外向部と前記底部の接続部と、が当接すると共に、前記突出部と、前記回動方向上流側の仕切り板の側面と、が当接して、フレーム部材に対する仕切り板の板厚方向における移動を規制しつつ仕切り板を収容することを特徴とする請求項１に記載の仕切り板用フレーム部材。
【請求項３】
前記外向部が、仕切り板を収容する際に、仕切り板を案内する平坦面を含んで構成されたことを特徴とする請求項１又は請求項２に記載の仕切り板用フレーム部材。
【請求項４】
前記突出部から前記収容部の入口までの少なくとも一部が、仕切り板の正規の収容方向に対し、前記収容部の入口を外向きに広げる方向に所定に傾斜された平坦面を含んで構成されたことを特徴とする請求項１〜請求項３の何れか一つに記載の仕切り板用フレーム部材。
【請求項５】
仕切り板をフレーム部材により支持してなる仕切り装置であって、
仕切り板の対向する縦縁部を収容して支持する一対の縦フレーム部材、或いは仕切り板の対向する横縁部を収容して支持する一対の横フレーム部材の少なくとも一方の一対のフレーム部材が、請求項１〜請求項４の何れか一つに記載の仕切り板用フレーム部材により構成されたことを特徴とする仕切り装置。
【発明の詳細な説明】
【技術分野】
【０００１】
本発明は、空間を仕切るために用いられる仕切り装置に利用される仕切り板用フレーム部材及び当該フレーム部材を利用した仕切り装置に関する。より具体的には、例えばベランダ等において隣家との仕切りに用いられる仕切り板を支持する仕切り板用フレーム部材、及び当該フレーム部材を利用した仕切り装置に関する。
【背景技術】
【０００２】
例えば、アパート、マンション等の集合住宅のベランダにおいては、プライバシー保護などの観点から、隣家との間に仕切り（パーティション）装置が配設されるのが一般的であり、この種の仕切り装置として、従来より、例えば、特許文献１、特許文献２、特許文献３、特許文献４などにおいて種々のタイプのものが提案されている。
【０００３】
なお、この種の仕切り装置は、例えば、ケイ酸カルシウム等の不燃性材料からなる仕切り板１Ａ、１Ｂを、図８に示すように、アルミ押出し成形材等からなる縦フレーム２、３及び横フレーム４、５、６によって支持し、これを取付けステー７によって建築物の躯体８に取り付けて固定するようにしている。
【特許文献１】実公平７−１５９２１号公報
【特許文献２】特開平９−１２５５７５号公報
【特許文献３】特開平１１−１００８９５号公報
【特許文献４】特開２００２−３６４０６４号公報
【発明の開示】
【発明が解決しようとする課題】
【０００４】
ここにおいて、上述したような縦フレーム２、３、横フレーム４、５、６、及び仕切り板１Ａ、１Ｂの組み立ては、例えば、縦フレーム２、３の一方の例えば縦フレーム２に、横フレーム４、５、６を連結用ビス等を用いて仮組みし、この状態で仕切り板１Ａ、１Ｂの端部を横フレーム４、５、６に形成されている各収容部２０（図７、図８の（Ｂ）参照）に挿入し、当該収容部２０に沿わせて仕切り板１Ａ、１Ｂを前記縦フレーム２の方向へ移動させ、仕切り板１Ａ、１Ｂの端部を前記縦フレーム２の収容部１０（図６参照）の底部１１に突き当てて当該収容部１０に収容させる。
【０００５】
その後、他方の縦フレーム３を組み付け、連結用ビス等を正式に締め付けることで各フレームをしっかりと連結して固定し、組み立ては終了する。
そして、このようにして組み立てられた仕切り板１Ａ、１Ｂと各フレームからなる組立体（仕切り装置）９を、取付けステー７によって建築物の躯体８に取り付けて固定する。
【０００６】
縦フレーム２、３の対面するそれぞれの部位には、前記仕切り板１Ａ、１Ｂの端部を収容する凹形状の収容部１０が形成されているが、この収容部１０の一例としては、図６に示すように、仕切り板１Ａ、１Ｂを底部１１に突き当てた状態で仕切り板１Ａ、１Ｂを収容してしっかりと固定することができるように、略矩形状の凹部として形成されている。
【０００７】
また、横フレーム４、５、６の一例としては、図７に示したように、組み立て時に円滑に仕切り板１Ａ、１Ｂを縦フレーム２の収容部１０まで案内することができるように、その収容部２０は、入口側が仕切り板１Ａ、１Ｂの板厚（約５ｍｍ）より若干幅広に形成されると共に、底部２１側はガタなどが生じないように仕切り板１Ａ、１Ｂの板厚に見合う寸法を持つよう仕切り板の収容方向に略平行な面における断面がテーパ形状に形成されている。
【０００８】
ここで、前記仕切り板１Ａ、１Ｂの板厚と、これを収容する縦フレーム２、３の収容部１０の板厚方向の幅Ｌと、の間隙が大きいと、風などを受けたときに、仕切り板１Ａ、１Ｂが振動してびびり音等が生じるなどの惧れがあって好ましくないため、仕切り板１Ａ、１Ｂと、縦フレーム２、３の収容部１０と、をしっかりと密着させたいという要請がある。
【０００９】
かかる要請に応えるために、例えばパッキンや液状のシール材等で前記間隙を埋めることも考えられるが、作業性が悪くなると共に製品コストが増大し、更にはパッキンや液状のシール材等は劣化し易いため好ましくないといった実情がある。
【００１０】
また、前記要請に応えるために、仕切り板１Ａ、１Ｂと縦フレーム２、３の収容部１０との間隙をより一層小さくするために製品寸法をつめて行くことが考えられるが、前記縦フレーム２、３の収容部１０の板厚方向における幅Ｌの寸法をつめて行った場合には、以下のような実情がある。
すなわち、仕切り板１Ａ、１Ｂはケイ酸カルシウム等の不燃性材料であり表面に塗装を施すものであるが、塗装の厚みの寸法バラツキは比較的大きく、当該塗装の厚さを含めて仕切り板１Ａ、１Ｂの製品寸法（特に、板厚）を厳しく管理することは難しいといった実情がある。
【００１１】
このため、縦フレーム２、３の収容部１０の板厚方向における幅Ｌの寸法をつめて前記間隙を小さくしようとすると、仕切り板１Ａ、１Ｂの端部が収容部１０に収容できなくなる事態が生じ、作業性が悪化し、最悪の場合にはそのままでは組み立て作業が行えなくなるといった事態が生じ得る。
【００１２】
本発明は、かかる実情に鑑みなされたもので、簡単かつ安価な構成でありながら、耐久性に優れ、製品コストを増大させたり作業性を悪化させることなく、仕切り板をしっかりと収容してガタなどの発生を効果的に抑制することができる仕切り板用のフレーム部材を提供することを目的とする。また、当該フレーム部材を用いた仕切り装置を提供することを目的とする。
【課題を解決するための手段】
【００１３】
このため、本発明に係る仕切り板用フレーム部材は、
仕切り板を収容する収容部が形成されたフレーム部材であって、
前記収容部が、
フレーム部材の仕切り板の正規の収容方向に対してフレーム部材を所定に傾斜させた状態で、収容される仕切り板の板厚に対して所定間隙をもって仕切り板を収容可能に構成されると共に、
フレーム部材を所定に傾斜させて仕切り板を収容した状態から、フレーム部材を仕切り板の正規の収容方向に回動したときに、当該回動方向下流側の仕切り板の端部或は側面と、前記回動方向上流側の仕切り板の側面と、に当接して、フレーム部材に対する仕切り板の板厚方向における移動を規制しつつ仕切り板を収容可能に構成されたことを特徴とする。
【００１４】
本発明においては、
前記収容部が、
仕切り板の正規の収容方向に対し、前記収容部の入口を外向きに広げる方向に所定に傾斜された領域を含む外向部と、
前記収容部の入口から所定深さで前記外向部に接続される底部と、
収容される仕切り板を挟んで前記外向部の反対側において前記底部と前記収容部の入口との間に形成され、前記外向部と協働して、正規の収容方向に対して所定に傾斜されて収容される仕切り板の板厚に対して所定間隙をもつように形成される突出部と、
を含んで構成され、
フレーム部材を所定に傾斜させて仕切り板を収容した状態から、フレーム部材を仕切り板の正規の収容方向に回動したときに、回動方向下流側の仕切り板の端部或は側面と、前記外向部の少なくとも一部若しくは前記外向部と前記底部の接続部と、が当接すると共に、前記突出部と、前記回動方向上流側の仕切り板の側面と、が当接して、フレーム部材に対する仕切り板の板厚方向における移動を規制しつつ仕切り板を収容することを特徴とすることができる。
【００１５】
本発明において、前記外向部は、仕切り板を収容する際に、仕切り板を案内する平坦面を含んで構成されることができる。
【００１６】
本発明において、前記突出部から前記収容部の入口までの少なくとも一部が、仕切り板の正規の収容方向に対し、前記収容部の入口を外向きに広げる方向に所定に傾斜された平坦面を含んで構成されることができる。
【００１７】
また、本発明に係る仕切り装置は、
仕切り板をフレーム部材により支持してなる仕切り装置であって、
仕切り板の対向する縦縁部を収容して支持する一対の縦フレーム部材、或いは仕切り板の対向する横縁部を収容して支持する一対の横フレーム部材の少なくとも一方の一対のフレーム部材が、上述した本発明に係る仕切り板用フレーム部材により構成されたことを特徴とする。
【発明の効果】
【００１８】
本発明によれば、簡単かつ安価な構成でありながら、耐久性に優れ、製品コストを増大させたり作業性を悪化させることなく、仕切り板をしっかりと収容支持してガタなどの発生を効果的に抑制することができる仕切り板用のフレーム部材を提供することができる。また、当該フレーム部材を用いた仕切り装置を提供することができる。
【発明を実施するための最良の形態】
【００１９】
以下に、本発明に係る仕切り板用のフレーム部材及び当該フレーム部材を用いた仕切り装置の一実施の形態を、添付の図面を参照しつつ説明する。なお、以下で説明する実施の形態により、本発明が限定されるものではない。
【００２０】
本実施の形態に係る仕切り装置は、図５に示すように、本発明のフレーム部材に相当する縦フレーム２００、３００で仕切り板１Ａ、１Ｂの左右端部を支持し、横フレーム４００、５００、６００で仕切り板１Ａ、１Ｂの上下を支持している。なお、場合によっては、仕切り板１Ａ、１Ｂを一枚ものとして、横フレーム５００を省略する場合もある。
【００２１】
ここで、縦フレーム２００、３００、横フレーム４００〜６００は、ここでは、例えば軽量性、強度、耐食性、外観等に優れたアルミを押出し成形して中空状に作られているが、これに限定されるものではなく、所望の形状に形成できるものであれば他の成形方法、加工方法により形成することができる。また、用途によっては、鉄、ＳＵＳ、Ｔｉなどアルミ以外の金属材料を用いることができると共に、プラスチック等の樹脂系材料や木材、紙等を素材として用いることもできる。
【００２２】
前記仕切り板１Ａ、１Ｂは、従来同様で、ケイ酸カルシウム等の不燃性材料からなる厚さ約５ｍｍのボードであり、表面に塗装が施されている。
【００２３】
本実施の形態に係る縦フレーム２００、３００の対面するそれぞれの部位には、図２に示すように、前記仕切り板１Ａ、１Ｂの端部を収容する凹形状の収容部２１０、３１０が形成されている。
【００２４】
収容部２１０は、図６に示した従来のものとは形状が異なっており、図１に示すように、底部２１１の一端２１１Ａから外側に向けて広がるように傾斜して形成される外向傾斜側面２１２と、前記底部２１１の他端２１１Ｂから前記外向傾斜側面２１２と略平行に内側に向かって所定距離だけ延在する内向傾斜側面２１３及び当該内向傾斜側面２１３の終点（突出部）２１５（図では黒丸で強調して表示している）から変曲して外側に向けて広がるように傾斜して形成される外向傾斜側面２１４と、を含んで構成されている。
【００２５】
なお、当該縦フレーム２００、３００には、図１に示したように、例えばＬ字型の取付けステー７を当該縦フレーム２００、３００に取り付けるためのレール溝５００が長手方向に亘って設けられており、レール溝５００の幅Ｚ方向により回転が規制される二面幅を持つボルト等がここに挿入され、当該ボルトと螺合するナット等を介して取付ステー７が所定位置に締結固定されるようになっている。
【００２６】
ところで、図２に示したように、縦フレーム３００に形成される収容部３１０は、図１、図２の平面において仕切り板１Ａ、１Ｂを挟んで対向する位置で、前記縦フレーム２００に形成される収容部２１０と線対称となるように配設される。すなわち、縦フレーム３００は、縦フレーム２００を図５において上下逆さまにして用いられるものである。
【００２７】
また、横フレーム４００〜６００は、図７に示した従来の横フレーム４０〜６０と同様であり、その収容部２０は、組み立て時に円滑に仕切り板１Ａ、１Ｂを、仮組みされている例えば縦フレーム２００の収容部２１０まで案内することができるように、その収容部２０は、入口側が仕切り板１Ａ、１Ｂの板厚（約５ｍｍ）より若干幅広に形成されると共に、底部２１側はガタなどが生じないように仕切り板１Ａ、１Ｂの板厚に見合う寸法を持つよう仕切り板の収容方向に略平行な面における断面がテーパ形状に形成されている。
【００２８】
このような構成を備える縦フレーム２００、３００、横フレーム４００〜６００、及び仕切り板１Ａ、１Ｂの組み立ては、例えば、以下のようにして行われる。
（１）まず、縦フレーム２００、３００の一方である例えば縦フレーム２００に、横フレーム４００〜６００を連結用ビス等を用いて仮組みする。
（２）次に、この状態で仕切り板１Ａ、１Ｂの端部を横フレーム４００〜６００に形成されている各収容部２０に挿入し、当該収容部２０に沿わせて仕切り板１Ａ、１Ｂを前記縦フレーム２００の方向へ移動させ、仕切り板１Ａ、１Ｂの端部を前記縦フレーム２００の収容部２１０の底部２１１に突き当てた状態で当該収容部２１０に収容させる。
（３）その後、他方の縦フレーム３００を組み付けて、連結用ビス等を正式に締め付けることで各フレーム２００〜６００をしっかりと連結して固定し、組み立てを終了する。
そして、このようにして組み立てられた仕切り板１Ａ、１Ｂと各フレーム２００〜６００からなる組立体１００を、取付けステー７によって建築物の躯体８に取り付けて固定する。
【００２９】
ここにおいて、本実施の形態では、上述したように、縦フレーム２００の収容部２１０が図１に示すような形状を有しているため、上記（２）のステップにおいて、仕切り板１Ａ（或いは１Ｂ）を前記縦フレーム２００の方向へ移動させ、仕切り板１Ａ（或いは１Ｂ）の端部を前記縦フレーム２００の収容部２１０に収容させる際に、仕切り板１Ａ（或いは１Ｂ）の端部は、前記外向傾斜側面２１２若しくは前記外向傾斜側面２１４に案内されて、底部２１１の方向へ導かれる。
【００３０】
そして、前記突出部２１５を仕切り板１Ａ（或いは１Ｂ）の端部１Ｃ、１Ｄが通過すると、仕切り板１Ａ（或いは１Ｂ）の一端部１Ｃが前記傾斜側面２１２に案内され、他端部１Ｄは自由な状態となる。ただし、前記突出部２１５が、仕切り板１Ａ（或いは１Ｂ）の前記他端部１Ｄ側の側面１Ｅと当接して、仕切り板１Ａ（或いは１Ｂ）を案内することもできる。
【００３１】
更に仕切り板１Ａ（或いは１Ｂ）が底部２１１へ向けて移動されると、仕切り板１Ａ（或いは１Ｂ）の一端部１Ｃが丁度底部２１１の一端部（接続点）２１１Ａに落とし込まれ、この一方、仕切り板１Ａ（或いは１Ｂ）の前記他端部１Ｄ側の側面１Ｅが前記突出部２１５と当接して、一端部（接続点）２１１Ａと突出部２１５とに当接した仕切り板１Ａ（或いは１Ｂ）の端部１Ｃ、１Ｄは、図１中左右方向への遊動が規制されることとなり、以ってしっかりと仕切り板１Ａ（或いは１Ｂ）は収容部２１０に収容されることになる。
なお、同様にして、上記（３）のステップで、他方の縦フレーム３００を組み付けることができる。
【００３２】
次に、仕切り板１Ａ（或いは１Ｂ）の塗装の厚さが厚目になっていた場合について説明する。
従来のものでは、かかる場合においては仕切り板１Ａ（或いは１Ｂ）の端部が収容部１０に収容できない事態が生じ、作業性が悪化し、最悪の場合にはそのままでは組み立て作業が行えなくなるといった事態が生じていたが、本実施の形態実施においては、このような事態の発生を効果的に抑制することが可能となっている。
【００３３】
すなわち、仕切り板１Ａ（或いは１Ｂ）の塗装の厚さが厚目になっていた場合には、上記（２）のステップにおいて、仕切り板１Ａ（或いは１Ｂ）が、図３に示すように、その一端部１Ｃが前記外向傾斜側面２１２に当接してしまう一方で、仕切り板１Ａ（或いは１Ｂ）の他端部１Ｄ側の側面１Ｅも前記突出部２１５に当接した状態となってしまう場合があるが、縦フレーム２００と横フレーム４００〜６００は仮組み状態であるので完全に拘束されてはおらず、ある程度移動の自由度が残されている。このため、縦フレーム２００は横フレーム４００〜６００延いては仕切り板１Ａ（或いは１Ｂ）に対して図中時計廻りに若干斜めの位置に回動も可能である。
【００３４】
従って、縦フレーム２００が仕切り板１Ａ（或いは１Ｂ）に対して図中時計廻りに若干斜めの位置となるように回動されると、図１に示した形状を備えた本実施の形態に係る収容部２１０では、図５（図５では便宜的に仕切り板１Ａ（１Ｂ）を傾けて表示している）に示すように、仕切り板１Ａ（或いは１Ｂ）の挿入方向に対して、前記外向傾斜側面２１２と、前記内向傾斜側面２１３と、が略平行な状態となり、これらの二面幅Ｙは塗装が厚目の仕切り板１Ａ（或いは１Ｂ）に対応して広めに形成されているため、塗装が厚目の仕切り板１Ａ（或いは１Ｂ）の一端部１Ｃであっても底部２１１の一端部２１１Ａに落とし込むことが可能となる。
【００３５】
そして、他方の縦フレーム３００については、上記と同様にして、仕切り板１Ａ（或いは１Ｂ）の挿入方向に対して、前記傾斜側面３１２と、前記内向傾斜側面３１３と、が略平行な状態となるように、縦フレーム３００を横フレーム４００〜６００延いては仕切り板１Ａ（或いは１Ｂ）に対して若干斜めにして、仕切り板１Ａ（或いは１Ｂ）の端部が底部３１１へ突き当たるまで挿入し、横フレーム４００〜６００に連結用ビス等を介して仮止めする。
【００３６】
このように、縦フレーム２００（及び３００）は横フレーム４００〜６００に対して若干斜めではあるが、塗装が厚目の仕切り板１Ａ（或いは１Ｂ）の一端部１Ｃが底部２１１の一端部２１１Ａに落とし込まれた状態で、縦フレーム２００、３００と横フレーム４００〜６００とを連結する連結用ビス等を締め上げていくと、縦フレーム２００、３００は横フレーム４００〜６００に対して略直交する正規の位置へもたらせられる。
【００３７】
このとき、仕切り板１Ａ（或いは１Ｂ）の一端部１Ｃは底部２１１の一端部２１１Ａによって図中左方向への移動を規制され、仕切り板１Ａ（或いは１Ｂ）の前記他端部１Ｄ側の側面１Ｅは前記突出部２１５と当接して位置規制されることから、縦フレーム２００、３００が横フレーム４００〜６００に対して略直交する正規の位置へもたらせられる際に、仕切り板１Ａ（或いは１Ｂ）の端部は若干の曲げ変形を伴いながら、しっかりと収容部２１０に収容されることになる。
【００３８】
このように、本実施の形態によれば、収容される仕切り板１Ａ（１Ｂ）に対して収容部２１０を斜めにしたときに仕切り板１Ａ（１Ｂ）を収容可能な比較的幅広の二面幅を有すると共に、収容される仕切り板１Ａに対して収容部２１０を回動して略直交させときに、収容される仕切り板１Ａ（１Ｂ）を板厚方向の両側から当接して支持する収容部２１０を備えて構成したので、仕切り板１Ａ（１Ｂ）が所定の厚みに形成されている場合は勿論、仕切り板１Ａ（１Ｂ）が厚目に形成された場合でもしっかりと収容部２１０に収容支持させることができるため、製品コストを増大させたり作業性を悪化させることなく、仕切り板１Ａ（１Ｂ）をしっかりと支持することができ、以ってガタなどの発生を効果的に抑制することができる仕切り板用のフレーム部材（縦フレーム）を提供することができることになる。また、パッキンやシール材等を用いる必要もないので、耐久性にも優れたものとなる。
【００３９】
更に、本実施の形態に係る横フレーム２００、３００を用いて仕切り装置を構成すれば、上記と同様の作用効果を奏することができる仕切り装置を提供することができる。
なお、本実施の形態では、対向する一対の縦フレーム２００、３００の収容部の形状を図１に示すような形状として説明したが、横フレーム４００〜６００の収容部の形状を図１に示すような形状とすることもできる。また、縦フレーム２００、３００及び横フレーム４００〜６００の双方の収容部の形状を図１に示すような形状とすることもできるものである。
また、本実施の形態では、ベランダ等に用いられる仕切り板用フレーム部材及び仕切り装置に関して説明したが、本発明はこれに限定されるものではなく、室内その他の場所で利用される仕切り板用フレーム部材及び仕切り板装置であって、固定式、可動式に限らず適用できるものである。
【００４０】
なお、収容部２１０の形状は、図１に例示した形状に限定されるものではなく、図４に例示したように種々変更されることができるものである。
【００４１】
すなわち、本発明は、上述した実施の形態の形状に限定されるものではなく、
仕切り板を収容する収容部が形成されたフレーム部材であって、
前記収容部が、フレーム部材の仕切り板の正規の収容方向に対してフレーム部材を所定に傾斜させた状態で、収容される仕切り板の板厚に対して所定間隙をもって仕切り板を収容可能に構成されると共に、フレーム部材を所定に傾斜させて仕切り板を収容した状態から、フレーム部材を仕切り板の正規の収容方向に回動したときに、当該回動方向下流側の仕切り板の端部或は側面と、前記回動方向上流側の仕切り板の側面と、に当接して、フレーム部材に対する仕切り板の板厚方向における移動を規制しつつ仕切り板を収容可能に構成されたものであれば、本発明の思想を利用するものであって、本発明の範囲に属するものである。
【００４２】
また、前記収容部が、仕切り板の正規の収容方向に対し、前記収容部の入口を外向きに広げる方向に所定に傾斜された領域を含む外向部と、前記収容部の入口から所定深さで前記外向部に接続される底部と、収容される仕切り板を挟んで前記外向部の反対側において前記底部と前記収容部の入口との間に形成され、前記外向部と協働して、正規の収容方向に対して所定に傾斜されて収容される仕切り板の板厚に対して所定間隙をもつように形成される突出部と、を含んで構成され、
フレーム部材を所定に傾斜させて仕切り板を収容した状態から、フレーム部材を仕切り板の正規の収容方向に回動したときに、回動方向下流側の仕切り板の端部或は側面と、前記外向部の少なくとも一部若しくは前記外向部と前記底部の接続部と、が当接すると共に、前記突出部と、前記回動方向上流側の仕切り板の側面と、が当接して、フレーム部材に対する仕切り板の板厚方向における移動を規制しつつ仕切り板を収容するようにしたものであれば、本発明の範囲に属するものである。
【００４３】
以上で説明した実施の形態は、本発明を説明するための例示に過ぎず、本発明の要旨を逸脱しない範囲内において、種々変更を加え得ることは勿論である。
【図面の簡単な説明】
【００４４】
【図１】本発明の一実施の形態に係る仕切り装置に用いられる縦フレームを長手方向に直交する平面で切断した断面図である。
【図２】同上実施の形態に係る一対の縦フレーム及び仕切り板を説明するための断面図である。
【図３】同上実施の形態に係る縦フレームの収容部が仕切り板を収容する際のメカニズムを説明するための図である。
【図４】同上実施の形態に係る縦フレームの収容部の他の例を例示した図である。
【図５】同上実施の形態に係る仕切り装置の全体構成を例示した図である。
【図６】従来の仕切り装置における縦フレームの収容部を説明するための断面図である。
【図７】従来の仕切り装置における横フレームの収容部を説明するための断面図である。
【図８】従来の仕切り装置の全体構成を例示した図である。
【符号の説明】
【００４５】
１Ａ，１Ｂ  仕切り板
１００      仕切り装置（パーティション）
２００      縦フレーム(フレーム部材)
２１０      収容部
２１１      底部
２１１Ａ    底部の一端部（本発明に係る外向部と底部の接続部に相当）
２１２      外向傾斜側面（本発明に係る外向部として機能する）
２１４      外向傾斜側面
２１５      突出部
３００      縦フレーム(フレーム部材)
４００      横フレーム
５００      横フレーム
６００      横フレーム
【図１】
2008223420.tif 000003
【図２】
2008223420.tif 000004
【図３】
2008223420.tif 000005
【図４】
2008223420.tif 000006
【図５】
2008223420.tif 000007
【図６】
2008223420.tif 000008
【図７】
2008223420.tif 000009
【図８】
2008223420.tif 000010